(57)【特許請求の範囲】
【請求項１】
両端部が地表に露出するように地中に埋設される第１配管および第２配管と、
前記第１配管および前記第２配管にそれぞれ挿通されて端部が露出する第1電線および第２電線と、
前記地中に埋設されて前記地表に立設される脚部材と、
前記脚部材に支持されて前記地表側の端部が前記地表に露出するとともに前記第１配管の端部および前記第２配管の端部を覆う筒体と、
前記筒体の貫通方向に対して交差するように前記筒体の内部空間を区画する壁部と、
前記壁部に設けられた第1貫通孔および第２貫通孔と、
前記筒体における前記地表とは反対側の開口を塞ぐとともに、照明器具が支持された蓋部材と、を備え、
前記第１配管の端部および前記第２配管の端部は、それぞれ前記第1貫通孔および前記第２貫通孔に接続され、
前記照明器具の配線は、前記壁部および前記蓋部材の間の結線空間において前記第1電線および前記第２電線に結線される照明装置。
【請求項２】
請求項１に記載の照明装置において、
前記壁部は、前記筒体に対して任意位置で固定可能である照明装置。
【発明の詳細な説明】
【技術分野】
【０００１】
本発明は、地表に筒体を介して照明器具が設けられ、照明器具の配線が筒体内で結線される照明装置に関する。
【背景技術】
【０００２】
照明装置として、地中に筒体の端部が埋設されて他の部位が地中から露出され、筒体にカバー体が設けられ、カバー体に照明器具の固定具が設けられ、カバー体および壁部間で結線空間が形成されるものが知られている。地中に筒体の端部が埋設されるため、壁部が比較的地表に近い位置に配置される。壁部の第１貫通孔および第２貫通孔に第１配管の端部および第２配管の端部が差し込まれる。
【０００３】
第１配管および第２配管に第1電線および第２電線が挿通され、第１配管および第２配管の各端部から結線空間に導かれる。結線空間において、第1電線の端部および第２電線の端部に照明器具の配線（電線）が結線される（特許文献１）。
【先行技術文献】
【特許文献】
【０００４】
【特許文献１】特許第４７５００４９号公報
【発明の概要】
【発明が解決しようとする課題】
【０００５】
しかし、特許文献１の照明装置は、筒体にカバー体が設けられ、さらにこのカバー体に器具取付板や固定具等を介して照明器具を固定しているために部品点数が多く、組立作業も煩雑になる。また、筒体の壁部が比較的地表に近い位置に配置されているため、第１配管の端部および第２配管の端部が地表に近い位置に配置される。このため、第1電線の端部および第２電線の端部と、照明器具の配線（電線）との結線部の確実な防水性、防湿性が得られ難い。
【０００６】
本発明は、前述した課題を解決するためになされたものであり、その目的は、部品点数を少なくし、組立作業を簡略にでき、さらに、防水性、防湿性が得られる照明装置を提供することにある。
【課題を解決するための手段】
【０００７】
本発明の照明装置は、両端部が地表に露出するように地中に埋設される第１配管および第２配管と、前記第１配管および前記第２配管にそれぞれ挿通されて端部が露出する第1電線および第２電線と、前記地中に埋設されて前記地表に立設される脚部材と、前記脚部材に支持されて前記地表側の端部が前記地表に露出するとともに前記第１配管の端部および前記第２配管の端部を覆う筒体と、前記筒体の貫通方向に対して交差するように前記筒体の内部空間を区画する壁部と、前記壁部に設けられた第1貫通孔および第２貫通孔と、前記筒体における前記地表とは反対側の開口を塞ぐとともに、照明器具が支持された蓋部材と、を備え、前記第１配管の端部および前記第２配管の端部は、それぞれ前記第1貫通孔および前記第２貫通孔に接続され、前記照明器具の配線は、前記壁部および前記蓋部材の間の結線空間において前記第1電線および前記第２電線に結線される。
【発明の効果】
【０００８】
本発明の照明装置によれば、部品点数を少なくし、組立作業を簡略にでき、さらに、確実な防水性、防湿性が得られる照明装置を提供できる。
【図面の簡単な説明】
【０００９】
【図１】本発明に係る第１実施形態の照明装置を示す断面図
【図２】（Ａ）〜（Ｃ）は図１の照明装置を組み付ける作業工程を示す模式図
【図３】本発明に係る第２実施形態の照明装置を示す断面図
【図４】図３の照明装置の筒部と壁部との関係を示す分解斜視図
【発明を実施するための形態】
【００１０】
以下、実施形態に係る照明装置について図面を参照して説明する。
（第１実施形態）
図１に示すように、照明装置１０は、地中１１に埋設される第１配管１４および第２配管１５と、第１配管１４および第２配管１５にそれぞれ挿通される第1電線１６および第２電線１７と、脚部材１９とを備えている。この脚部材１９が地中に杭のように差し込まれ埋設することによって後述の照明装置１０は地表に立設される。
また、照明装置１０は、脚部材１９に支持される筒体２１と、筒体２１の内部空間２２を区画する壁部２５と、壁部２５に設けられた第1貫通孔２７および第２貫通孔２８と、筒体２１の上開口（開口）３１を塞ぐ蓋部材３４と、蓋部材３４に支持される照明器具３６とを備えている。言い換えれば、照明器具３６の台座が蓋部材３４となっており、照明器具３６は蓋部材３４に直接支持されている。
【００１１】
第１配管１４は、筒体２１の内部空間２２まで一方側の隣の照明装置１０Ａ（図２（Ａ）参照）から地中１１を経て延ばされ、筒体２１の内部空間２２において端部１４Ａが地表１２に露出されている。第２配管１５は、筒体２１の内部空間２２において端部１５Ａが地表１２に露出され、筒体２１の内部空間２２から他方側の隣の照明装置１０Ｂ（図２（Ｂ）参照）まで地中１１を経て延ばされている。
【００１２】
第1電線１６は、第１配管１４に挿通されて端部１６Ａが、壁部２５および蓋部材３４の間の結線空間２３に露出される。第２電線１７は、第１配管１４に挿通されて端部１７Ａが結線空間２３に露出される。
【００１３】
筒体２１は、上端部２１Ａが上開口３１に開口され、かつ、下端部２１Ｂが下開口３２に開口された中空の筒状に形成されることにより上下方向に貫通した中空部を有している。筒体２１は、壁部２５に固定された脚部材１９に支持されて下端部（端部）２１Ｂが地中から露出されることにより地表１２に触れる状態あるいは地表１２と間隔を空けて地表上に配置されている。
この筒体２１で第１配管１４の端部１４Ａおよび第２配管１５の端部１５Ａが覆われている。筒体２１の内部に壁部２５が形成されている。
【００１４】
壁部２５は、筒体２１の中空部である内部空間２２で、かつ、筒体２１の上下方向略中央において、筒体２１の貫通方向に対して交差するように配置される。これにより、筒体２１の内部空間２２が壁部２５で上下に区画される。なお、壁部２５は各配管がこの壁部に固定できさえすれば傾斜していてもよい。
また、壁部２５には第1貫通孔２７および第２貫通孔２８が設けられている。第1貫通孔２７に第１配管１４の端部１４Ａが気密性をもって接続され、第２貫通孔２８に第２配管１５の端部１５Ａが気密性をもって接続される。
【００１５】
筒体２１の上端部２１Ａが、筒体２１における地表１２とは反対側に位置する。反対側に位置する上端部２１Ａの上開口３１が蓋部材３４で塞がれている。筒体２１の内部空間２２のうち、蓋部材３４および壁部２５間に結線空間２３が形成される。
蓋部材３４に照明器具３６の脚部３６Ａが取り付けられ支持されている。
【００１６】
結線空間２３において、照明器具３６の配線３７が第1電線１６の端部１６Ａおよび第２電線１７の端部１７Ａに結線される。すなわち、照明器具３６の配線３７が第1電線１６の端部１６Ａおよび第２電線１７の端部１７Ａに結線される結線部３８が結線空間２３に配置される。
【００１７】
つぎに、照明装置１０を組み付ける作業工程（施工工程）を図１，図２（Ａ）〜（Ｃ）の模式図に基づいて説明する。
図２（Ａ）において、一方側の隣の照明装置１０Ａから照明装置１０（図１参照）の取付位置まで第１配管１４を地中１１を経て延ばし、第１配管１４の端部１４Ａを地表１２に露出する。また、他方側の隣の照明装置１０Ｂから照明装置１０の取付位置まで第２配管１５を地中を経て延ばし、第２配管１５の端部１５Ａを地表に露出する。
【００１８】
図２（Ｂ）において、地中１１に脚部材１９を埋設して、脚部材１９に支持される筒体２１を地表１２より上に配置する。なお、筒体２１は、端部が地表２１から離れていることが望ましいが、端部が地表２１に沿っていてもよい。
第1貫通孔２７（図１参照）に第１配管１４の端部１４Ａを接続し、第２貫通孔２８（図１参照）に第２配管１５の端部１５Ａを接続する。
【００１９】
図１に示すように、第１配管１４に挿通された第1電線１６の端部１６Ａを結線空間２３に露出させ、第２配管１５に挿通された第２電線１７の端部１７Ａを結線空間２３に露出させる。結線空間２３に露出させた第1電線１６の端部１６Ａおよび第２電線１７の端部１７Ａに照明器具３６の配線３７を結線し、結線部３８を結線空間２３に配置する。
この状態において、あらかじめ照明器具３６が取り付けられた蓋部材３４を筒体２１の上端部２１Ａに蓋部材３４を取り付ける（図２（Ｃ）も参照）。
【００２０】
このように、筒体２１の内部に壁部２５を設け、あらかじめ照明器具３６が取り付けられた蓋部材３４を筒体２１の上端部２１Ａに取り付けることにより、従来技術で必要とされたカバー体や器具取付板や固定具等を別途用意することを不要にできる。これにより、従来に比較して部品点数を少なくすることが可能になり、コストを低減でき、かつ、組立作業を簡略できる。
【００２１】
また、筒体２１の下端部２１Ｂを地中１１から露出させて地表１２に触れる状態あるいは地表１２と間隔を空けて地表より上に配置させ、かつ、筒体２１の内部空間２２に壁部２５を設けた。よって、壁部２５を地表１２から比較的高い位置に配置できる。この壁部２５に第1貫通孔２７および第２貫通孔２８を形成し、第1貫通孔２７および第２貫通孔２８に第１配管１４および第２配管１５の端部１５Ａを機密性をもって接続した。
これにより、結線空間２３は筒体２１，壁部２５，蓋部材３４によって囲まれることで機密性を有するため、第1電線１６の端部１６Ａおよび第２電線１７の端部１７Ａに照明器具３６の配線３７を結線した結線部３８の防水性、防湿性が得られる。
【００２２】
以上説明したように、照明装置１０は、両端部１４Ａ、１５Ａが地表１２に露出するように地中１１に埋設される第１配管１４および第２配管１５と、第１配管１４および第２配管１５にそれぞれ挿通されて端部１６Ａ、１７Ａが露出する第1電線１６および第２電線１７とを備えている。
また、照明装置１０は、地中１１に埋設されて地表１２に立設される脚部材１９と、脚部材１９に支持されて下端部２１Ｂが地中１１から露出するとともに第１配管１４の端部１４Ａおよび第２配管１５の端部１５Ａを覆う筒体２１とを備えている。
【００２３】
さらに、照明装置１０は、筒体２１の貫通方向に対して交差するように筒体２１の内部空間２２を区画する壁部２５と、壁部２５に設けられた第1貫通孔２７および第２貫通孔２８と、筒体２１における地表１２とは反対側の上開口３１を塞ぐ蓋部材３４と、蓋部材３４に支持される照明器具３６とを備えている。
【００２４】
また、第１配管１４の端部１４Ａおよび第２配管１５の端部１５Ａは、それぞれ第1貫通孔２７および第２貫通孔２８に気密性をもって接続されている。さらに、照明器具３６の配線３７は、壁部２５および蓋部材３４の間の結線空間２３において第1電線１６および第２電線１７に結線される。
【００２５】
次に、第２実施形態を図３、図４に基づいて説明する。
なお、第２実施形態の照明装置５０において第１実施形態の照明装置１０と同一類似の構成部材については同じ符号を付して説明を省略する。
【００２６】
（第２実施形態）
図３に示すように、照明装置５０は、筒体５１の周壁５２に対して壁部５４を貫通方向に沿って移動可能とし、さらに任意位置で固定可能としたもので、その他の構成は実施形態１の照明装置１０と同様である。筒体５１の周壁５２には、貫通方向（図４で示す上下方向）へ延びる長孔５７を備えたもので、その他の構成は、実施形態１の筒体２１と同様である。
【００２７】
図４に示すように、第２実施形態では、筒体５１の中空空間において移動可能に設けられる壁部５４は、筒体５１の内径とほぼ同等な外径を有する有底筒状を有している。すなわち、有底筒状の底部が壁部５４であり、筒部がこの壁部５４の周縁部に一体的に設けられた環状のリング５５である。リング５５の特にねじ孔５８の上の位置からの高さは後述の長孔５７の長さと同じ高さを有している。これによりリング５５を有する壁部５４が移動した際に、長孔５７から水が浸入してもリング５５の高さでもって結線空間２３に水が入り込むことを防止することができる。リング５５にはねじ孔５８が形成されている。リング５５が筒体５１の周壁５２内に貫通方向と交差するよう（第２実施形態では貫通方向と直交するよう）収納され、ねじ孔５８が周壁５２の長孔５７に対向される。長孔５７を貫通された調整ねじ５９がねじ孔５８にねじ結合される。
長孔５７を貫通させた調整ねじ５９をねじ孔５８にねじ結合することにより、リング５５（すなわち、壁部５４）が筒体５１の周壁５２に対して任意位置で固定可能に支持される。
なお、第２実施形態では、有底筒状の壁部５４を用いたが、円板形状の壁部を用いても良く、円板形状の外周壁面にねじ孔を設けた構造としてもよい。なお、上記実施形態と同様に筒体５１の貫通方向に向く面には各配管が設けられている。
【００２８】
このように、好ましくは、照明装置５０の壁部５４を筒体５１に対して任意位置で固定可能とした。よって、筒体５１を移動させることにより結線空間２３の大きさを変更できるため、照明器具３６の配線の長さの長い物でも収納することができる。すなわち、壁部５４が脚部材１９で地面に固定されているため筒体５１を上下に移動させ結線空間２３の大きさを変更できる。
【００２９】
なお、本発明の照明装置は、前述した実施形態に限定されるものではなく適宜変更、改良等が可能である。
例えば、前記実施形態で使用した照明装置、第１配管、第２配管、第1電線、第２電線、脚部材、筒体、壁部、第1貫通孔、第２貫通孔、上開口、蓋部材、照明器具および照明器具の配線等の形状や構成は例示したものに限定するものではなく適宜変更が可能である。
【符号の説明】
【００３０】
１０、５０  照明装置
１１  地中
１２  地表
１４  第１配管
１４Ａ、１５Ａ  第１、第２の配管の両端部
１５  第２配管
１６  第1電線
１６Ａ  第1電線の端部
１７  第２電線
１７Ａ  第２電線の端部
１９  脚部材
２１、５１  筒体
２１Ｂ  筒体の下端部（端部）
２２  内部空間
２３  結線空間
２５、５４  壁部
２７  第1貫通孔
２８  第２貫通孔
３１  上開口（開口）
３４  蓋部材
３６  照明器具
３７  照明器具の配線
【図１】
0006341377.tif 000002
【図２】
0006341377.tif 000003
【図３】
0006341377.tif 000004
【図４】
0006341377.tif 000005